(57)【要約】      （修正有）【課題】グローブガラス内での赤火燃焼による火炎のゆらぎを外部から鑑賞可能にする室内用ガスランタンを提供する。【解決手段】下部から上部にかけて内径が狭小であり、内面または／および外面に凹凸部が形成された透明または半透明の筒状のグローブガラス１１を設置すると共に、該グローブガラス内で、前記垂下したガス管の先端燃焼部に、スパークロッド２５、フレームロッド２６、パイロットバーナ２４およびメインバーナ２２とを配置し、ガスの赤火燃焼により火炎を生成する火炎生成部１２とし、前記グローブガラス内の前記火炎生成部周辺に、前記グローブガラスの下方から該グローブガラス内に大気を導入する通気孔２８を形成してなり、前記メインバーナから噴出された火炎Ｆが通気孔から導入される大気で赤火燃焼と炎にゆらぎを発生させる。【選択図】図１
0003152674.tif 000002
【実用新案登録請求の範囲】
【請求項１】
部屋の天井にガス管を設置し、該ガス管を垂下させて先端部でガスを燃焼させて室内の照明に用いる室内用ガスランタンであって、
該ガス燃焼の周囲には、下部から上部にかけて内径が狭小であり、内面または／および外面に凹凸部が形成された透明または半透明の筒状のグローブガラスを設置すると共に、
該グローブガラス内で、前記垂下したガス管の先端燃焼部に、スパークロッド、フレームロッド、パイロットバーナおよびメインバーナとを配置し、ガスの赤火燃焼により火炎を生成する火炎生成部とし、
前記グローブガラス内の前記火炎生成部周辺に、前記グローブガラスの下方から該グローブガラス内に大気を導入する通気孔を形成してなり、
前記メインバーナから噴出された火炎が通気孔から導入される大気で赤火燃焼と炎にゆらぎを発生させることを特徴とする室内用ガスランタン。
【請求項２】
前記グローブガラスは、複数個配置されていることを特徴とする請求項１記載の室内用ガスランタン。
【請求項３】
前記グローブガラスは、前記垂下したガス管を軸に放射状に複数個配置されていることを特徴とする請求項２記載の室内用ガスランタン。
【請求項４】
前記グローブガラスは、前記垂下したガス管を軸に並列に複数個配置されていることを特徴とする請求項２記載の室内用ガスランタン。
【考案の詳細な説明】
【技術分野】
【０００１】
本考案は、室内に設置されて、グローブガラス内で赤火燃焼する火炎のゆらぎを外部から看取可能にする室内用ガスランタンに関するものである。
【背景技術】
【０００２】
ガスランタンはガスを燃焼させるガス燃焼室を持つハウジングと、このガス燃焼室に配置され、ガスを燃焼させて火炎を形成する燃焼部とを備えている。そして、周辺が暗くなると、ガス弁が自動的に開かれることで燃焼ガスが前記燃焼部に供給される。
【０００３】
このとき、交流電源またはガスランタンに搭載されたバッテリからの給電によって、点火部が燃焼ガスに自動点火を行う。これにより燃焼ガスは点火（着火）され、火炎を生成する（例えば、特許文献１参照）。そして、このガスランタンの点火、点灯によって街路の路面等を照明し、人の歩行を助けることができる。
【０００４】
また、かかるガスランタンは街路の路面等を照明することによって人の歩行を助けることに主眼が置かれている。このため、このガスランタンは開放型や密閉型の何れの型式であっても、火炎をマントルの発光物質に作用させることによって、照度を高めるように構成される（例えば、特許文献２参照）。
【先行技術文献】
【特許文献】
【０００５】
【特許文献１】特開２００２−０９３２２５号公報
【特許文献２】特開平１０−１０６３１８号公報
【考案の概要】
【考案が解決しようとする課題】
【０００６】
しかしながら、かかる従来のガスランタンは、戸外の街路脇などに設置され、夜間にマントルの白熱点灯によって路面等を明るく照明するというものであるため、雨水の浸入を防止してマントルを保護したり、外風を受けて火炎が立ち消えとなることを防止したりするなどの、各種の安全構造が必要になる。
【０００７】
また、街路などの戸外に設置されるガスランタンは、所定の明るさを得るために、ガスの燃焼エネルギをある程度大きくする必要があるため、前記同様のガスランタンを室内等の閉鎖的空間に設置することは望ましくない。例えば、天井の一部が火炎の加熱により焼けたり、煤（すす）の付着により天井が部分的に汚れるという問題を避けることはできない。
【０００８】
また、そのガス燃焼による白熱点灯光は、路面の照明等を目的とするため、この点灯光を看取して楽しむというものではなく、注視するように看取すると却って目を痛める結果となる。
【０００９】
本考案はかかる従来の問題点に着目してなされたものであり、雨水の浸入や外風による火炎の立ち消え等の問題発生を考慮する必要をなくしながら、室内での穏やかな空気の流れを利用した赤火燃焼による火炎のゆらぎを鑑賞可能にする室内用ガスランタンを提供することを目的とする。
【課題を解決するための手段】
【００１０】
前述した目的を達成するために、本考案にかかる室内用ガスランタンは、部屋の天井にガス管を設置し、該ガス管を垂下させて先端部でガスを燃焼させて室内の照明に用いる室内用ガスランタンであって、該ガス燃焼の周囲には、下部から上部にかけて内径が狭小であり、内面または／および外面に凹凸部が形成された透明または半透明の筒状のグローブガラスを設置すると共に、該グローブガラス内で、前記垂下したガス管の先端燃焼部に、スパークロッド、フレームロッド、パイロットバーナおよびメインバーナとを配置し、ガスの赤火燃焼により火炎を生成する火炎生成部とし、前記グローブガラス内の前記火炎生成部周辺に、前記グローブガラスの下方から該グローブガラス内に大気を導入する通気孔を形成してなり、
前記メインバーナから噴出された火炎が通気孔から導入される大気で赤火燃焼と炎にゆらぎを発生させることを特徴とする。
【００１１】
この構成により、メインバーナがグローブガラス内に噴出するガスの火炎が赤黄色になるとともに、室内の自然で緩やかな空気の流れに伴ってグローブガラス内を流れる空気流によってその火炎がゆらぎ、これを看取する者の心にいやし（癒し）感を与える。従って、ここでは火炎による照明、照射効果は重視されない。
【００１２】
また、前記グローブガラスが、下部から上部にかけて内外径が狭小となるように変化する筒状をなすことにより、グローブガラス内の火炎の燃焼熱によって、グローブガラス内には前記自然な空気流とともに空気の対流作用が惹起され、グローブガラス内の下方から上方に向かって緩やかで連続的な空気の流れをつくる。これによりグローブガラス内における火炎を大きく揺るがせることなく、火炎のゆらぎを安定的かつ微妙に変化させることができる。
【００１３】
また、前記グローブガラス内下部の略中心部に、スパークロッド、フレームロッド、パイロットバーナおよび前記メインバーナを含む火炎生成部が配置され、その火炎生成部の周辺に前記グローブガラスの下部からグローブガラス内に大気を導入する通気孔が設けられることで、前記赤火燃焼による火炎に揺らぎを発生させることができる。
【００１４】
また、スパークロッドに発生させた火花によってパイロットバーナから噴出されるパイロットガスに点火がなされ、この点火によって燃焼するガスの火炎をメインバーナから噴出するメインガスに移して、メインガスの赤火燃焼を開始させる。この赤火燃焼による火炎を通気孔からグローブガラス内に流れ込む空気によって緩やかにゆるがせることができる。
【００１５】
この赤火燃焼の状態は、フレームロッドで温度分布情報（熱的情報）として監視され、例えば火炎の立ち消えを検知した場合には、ガス制御装置がメインバーナへのガス供給を遮断したり、再びパイロットバーナの火炎をメインバーナから噴出するガスに移して着火させ、赤火燃焼を継続させるように機能させることができる。
【００１６】
また、前記グローブガラスの内面または／および外面に凹凸部が形成されているため、グローブガラスの凹凸面が火炎の光を反射および透過し、さらにレンズ効果などが加わることによって、前記ゆらぎが微妙に変化する。この結果グローブガラスの外側からは、見る方向によって動的な火炎の揺らぎに伴う光の影や模様などとして看取することができる。
【００１７】
また、前記グローブガラスが、このグローブガラスの上部に臨む天井に対し、熱的影響を与えない所定高さ以下の位置に配置されることで、グローブガラスの上端は天井方向に臨んで、火炎に伴う燃焼熱や煤などを上方へ放出するが、この燃焼熱や煤が天井の特定位置に集中することを回避できる距離が保たれ、天井の汚れや変色、あるいは火災の発生を防止することができる。なお、グローブガラスの天井に対する距離は、メインバーナが発生する赤火燃焼による火炎の大きさ等に応じて決定される。
【００１８】
また、本考案にかかる室内用ガスランタンは、複数個のグローブガラスから構成されている。これにより照明効果に加えて火炎のゆらぎによる心の癒し効果を得ることができる。また、前記グローブガラスは、天井から垂下したガス管を軸に放射状に複数個形成され、あるいは垂下したガス管を軸に並列に複数個形成されることで、心の癒し効果に加えて室内の装飾効果、デザイン効果も得られる。
【考案の効果】
【００１９】
本考案によれば、室内での穏やかな空気の流れを利用して、グローブガラス内での赤火燃焼による火炎のゆらぎを外部から看取、鑑賞可能にする。
【図面の簡単な説明】
【００２０】
【図１】本考案の実施形態による室内用ガスランタンの要部を示す縦断正面図である。
【図２】図1に示す室内用ガスランタン（灯具）の正面図である。
【図３】図２に示す室内用ガスランタンの下面図である。
【図４】本考案の他の実施形態による室内用ガスランタンの要部を示す縦断正面図である。
【図５】図４に示す室内用ガスランタンの下面図である。
【図６】ガスランタンの点火制御部を示す構成図である。
【考案を実施するための形態】
【００２１】
以下、本考案の一実施の形態にかかる室内用ガスランタンを、図１乃至図６を参照して説明する。図１は、ガスランタン要部の縦断正面図、図２は、室内用ガスランタンの正面図、図３は、室内用ガスランタンの下面図、図４は、他の室内用ガスランタンの正面図、図５は、図４に示す室内用ガスランタンの下面図、図６は、点火制御部を示す。
【００２２】
本実施形態による灯具としての室内用ガスランタンは、円筒状のグローブガラス１１と火炎生成部１２とを備えている。これらのうち、グローブガラス１１は、下部から上部にかけて内外径が狭小となるように、つまりテーパ状に変化する円筒形をなす。このグローブガラス１１は、透明または半透明のガラスによって作られ、これの内部で発生する赤火が外部から看取可能になっている。
【００２３】
このグローブガラス１１の内周面または／および外周面には、必要に応じて、所定の凹凸面や模様などのデザインが施される。これにより、赤火の火炎が反射、透過、拡大されるなどして、グローブガラスの外部から緩やかにかつ美しく変化する火炎の揺らぎを新しい感覚で看取することができる。
【００２４】
このグローブガラス１１は、リング状のパッキング１３を介して皿状のグローブガラス受け１４上に支持されている。このグローブガラス受け１４は全体としてリング状をなし、グローブガラス支持板１５上に固定されている。この固定は、グローブガラス受け１４の下面に取り付けられて、グローブガラス支持板１５を貫通するボルト１６にナット１７をねじ込むことによってなされる。
【００２５】
また、グローブガラス１１下端部の中心付近には、略水平配置された例えば角筒状の支持板１８の先端部が臨み、この先端部に皿状の受部材１９が取り付けられている。そして、この受部材１９上には、ガスヘッダ２０およびフレームセンサ（後述のガス制御装置３７の一部を構成する）２１が設置されている。また、ガスヘッダ２０にはメインバーナ２２、バーナヘッド２３のほか、パイロットバーナ２４が取り付けられている。さらに、このパイロットバーナ２４の近傍にはスパークロッド２５およびフレームロッド２６が配置されている。
【００２６】
ここで、スパークロッド２５はパイロットバーナ２４が噴出するガスに点火（着火）を行うものであり、フレームロッド２６はメインバーナ２２から噴出されたガスが火炎Ｆを発生していることを熱的に検出するように機能する。このフレームロッド２６が検出した火炎検出情報（信号）はフレームセンサ２１に伝えられ、フレームセンサ２１では例えば火炎の立ち消えを判定する。このフレームセンサ２１の出力情報は、ケーブル２１を介してガス弁の開閉制御回路へ出力され、例えばガス弁を遮断させる。
【００２７】
パイロットバーナ２４は、これが噴出するガスの燃焼による火炎をメインバーナ２２が噴出するメインガスに移すように機能する。なお、グローブガラス支持板１５は、支持枠１８の一部に支持されている。グローブガラス１５と支持枠１８との間には通気孔２８が設けられている。
【００２８】
この通気孔２８はガスの燃焼のために必要とする空気をグローブガラス内に導入するものである。また、通気孔２８の開口面積は、メインバーナ２２から噴出されるガスの燃焼に伴って発生する赤火の火炎が、グローブガラス１１内で「ゆらぎ」を惹起させる所定の大きさとされ、実験結果に従い設計時または組立時に設定される。この場合において、その設計や組立の後に、通気孔２８の開口面積を調整（開閉）する通気量調整手段を設けることで、この調整量に応じた赤火のゆらぎ方を微調整することも可能になる。
【００２９】
また、ガスヘッダ２０は銅製のガス導管２９端に接続されている。このガス導管２９の基端にはガス弁が接続されている。前記ケーブル２７およびガス導管２９は前記支持枠１８内に配置されて、前記ガス弁の開閉制御部およびガス弁にそれぞれ電気的および機械的に接続される。
【００３０】
グローブガラス１１を前述のように取り付けている支持枠１８は、これに直交する方向に配置された２本の支持台３１上に左右２本ずつ支持されている。これらの支持台３１に前記グローブガラス１１が支持枠１８を介して支持されている。各支持台３１には、これとともにＬ字状をなす角棒状または角筒状の吊架枠３２が、図２に示すように一体に連設されている。この吊架枠３２内にはメインバーナ等へガスを天井側（天井と躯体との間隙を含む）から供給するガス管（図示しない）が垂下配置されている。また、各グローブガラス１１は、前記垂下配置されたガス管を軸に並列配置されている。
【００３１】
これらの吊架枠３２の上端部は、室内の天井３３に装着される化粧カバー３４を貫通して、構造物の躯体３５から吊り下げられた支持部材３６に、ボルト・ナットなどの締結手段を用いて固定されている。従って、これらの吊架枠３２は躯体３５に吊持される形態となる。
【００３２】
また、吊架枠３２は躯体３５から例えば１メートル内外離れた長さ分とされ、この吊架枠３２に支持台３１および支持枠１８を介して支持されるグローブガラス１１の上端から天井３４までの間隔は、例えば５５０ミリ以上離される。この間隔は、グローブガラス１１内で赤火燃焼する火炎の熱や煤が天井３４に直接届かずに、周辺に拡散させることができる大きさである。
【００３３】
図４は、本考案の他の実施形態にかかる灯具の正面図、図５は、この灯具の下面図である。この実施形態の灯具では、躯体３５から吊り下げられた６本の支持部材３６に、吊架枠３２の上端部が取り付けられている。そして、吊架枠３２の下端に放射状かつ水平方向に支持台３１が連設され、これらの支持台３１先端の上部に、火炎生成部１２を囲むように有するグローブガラス１１が取り付けられている。
【００３４】
このため、６個のグローブガラス１１は吊架枠３２内を通るガス管を軸として略放射状に配置され、所期のデザイン効果が得られるようになされている。なお、このほかの図２および図３に示したものと同一または類似する構成部分には同一符号を付して、その重複する説明を省略する。
【００３５】
図６において、符号３７はガス制御装置で、ガス供給用のガス管３８７とガス導管２９との間および電源ケーブル３９と前記ケーブル（電源／信号ケーブル）２７との間に接続されている。具体的には、ガス管３８とガス導管２９との間に前記ガス弁としての電磁弁４０およびガスガバナ４１が直列接続され、電源ケーブル３９とケーブル２７との間に電源トランスや制御基板スイッチ等を含む制御回路部４２が接続されている。
【００３６】
かかるガス制御装置３７は、外部スイッチ（図示しない）の投入により、電源電圧（ＡＣ１００ｖ）をフレームセンサ２１を含む制御回路部４２に供給する。一方、前記外部スイッチの投入に並行してガス弁（電磁弁）４０が開かれ、ガス管３８から送出されたガスが、ガスガバナ４１およびガス導管２９を介してパイロットバーナ２４およびメインバーナ２２に供給される。
【００３７】
これらのガス弁４０の開動作と同時に、スパークロッド２５には高電圧の点火電流が供給されて、火花が発生する。この火花はパイロットバーナ２２から噴出されたガスに着火する。これによりこのガスが燃焼を開始して火炎を発生し、略同時にその火炎がメインバーナ２２から噴出されたガスに移る。このため、このガスも燃焼を開始して火炎を発生する。この火炎は、前述のようなグローブガラス１１やメインバーナ２２の形態や、ガスの噴出圧力および周辺の空気の流れの状態などの各種条件によって微妙に変化するものである。
【００３８】
本実施形態では、赤火燃焼による火炎形態とするために、これらの諸条件が考慮される。この赤火燃焼では、ガスの噴出方法や空気の流れを人為的にコントロールすることなくメインバーナからガスを自然に噴出させて、グローブガラス１１内にこれの下部から自然に流入する空気を利用して燃焼させる。この燃焼による火炎は細長く伸びて赤黄色となる。また、前記通気孔２８の開口面積の大きさは、前記条件とともに赤火燃焼による火炎にゆらぎを発生させるための一つの条件であり、このゆらぎを発生させるために、実験に基づいて決定した所定の開口面積に設計され、かつ組み付けられる。
【００３９】
この結果、本実施形態にかかる室内用ガスランタンは、室内に設置されて、透明または半透明のグローブガラス１１内（の大気中）にガスを噴出して赤火燃焼させるメインバーナ２２を備える。
【００４０】
これにより、メインバーナ２２がグローブガラス１１内に噴出するガスの火炎を赤色または赤黄色にするとともに、室内の緩やかな空気の流れに伴ってグローブガラス１１内を流れる空気流によってその火炎をゆるがせ、この火炎を看取する者の心にいやし（癒し）感を与えることができる。
【００４１】
また、前記グローブガラス１１を、下部から上部にかけて内外径が狭小となるように変化する筒状のグローブガラスとした。
【００４２】
これによって、グローブガラス１１内の火炎の燃焼熱によってグローブガラス１１内には空気の対流作用が惹起され、グローブガラス１１内の下方から上方に向かって緩やかで連続的な空気の流れがつくられる。従って、グローブガラス１１内における火炎を大きく揺るがせたり、立ち消えさせたりすることなく、火炎のゆらぎを安定的かつ微妙に変化させることができる。
【００４３】
また、グローブガラス１１内下部の略中心部には、スパークロッド２５、フレームロッド２６、パイロットバーナ２４およびメインバーナ２２を含む火炎生成部を配置し、その火炎生成部周辺にグローブガラス１１の下部からグローブガラス１１内に大気を導入することによって、前記赤火燃焼による火炎に揺らぎを発生させる大気導入口を設けている。
【００４４】
これによって、スパークロッド２５に発生させた火花によってパイロットバーナ２４から噴出されるパイロットガスに点火をし、この点火された火炎をメインバーナ２２から噴出するメインガスに移して、メインガスの赤火燃焼を開始させる。この赤火燃焼による火炎を通気孔２８からグローブガラス１１内に流れ込む空気によって緩やかにゆるがせることができる。
【００４５】
また、グローブガラス１１には、このグローブガラス１１の内面または／および外面に凹凸部を形成している。
【００４６】
これにより、グローブガラス１１の凹凸面が火炎の光を反射および透過し、さらに、レンズ効果なども加わることによって、前記ゆらぎを微妙に変化させることとなる。このためグローブガラス１１の外側からは見る方向によって微妙に変化する動的な光の影や模様などを看取することができる。
【００４７】
また、グローブガラス１１は、このグローブガラス１１の上部に臨む天井に対し熱的影響を与えない所定高さ以下の位置に配置されている。
【００４８】
従って、グローブガラス１１の上端は天井方向に臨んで火炎に伴う燃焼熱や煤などを上方へ放出するが、この燃焼熱や煤が天井の特定位置に集中することことがなく、天井の汚れや変色、あるいは火災の発生を未然に防止することができる。
【産業上の利用可能性】
【００４９】
本考案は、グローブガラス内での赤火燃焼による火炎のゆらぎを外部から鑑賞できるという効果を有し、室内に設置されて、赤火燃焼の火炎の揺らぎを看取可能にする室内用ガスランタン等に有用である。
【符号の説明】
【００５０】
１１  グローブガラス
１２  火炎生成部
１４  グローブガラス受け
１５  グローブガラス支持板
１８  支持枠
１９  受部材
２０  ガスヘッダ
２１  フレームセンサ
２２  メインバーナ
２４  パイロットバーナ
２５  スパークロッド
２６  フレームロッド
２８  通気孔
２９  ガス導管
３１  支持台
３２  吊架枠
３７  ガス制御装置
３８  ガス管
３９  電源ケーブル
４０  ガス弁（電磁弁）
４１  ガスガバナ
４２  制御回路部
【図１】
0003152674.tif 000003
【図２】
0003152674.tif 000004
【図３】
0003152674.tif 000005
【図４】
0003152674.tif 000006
【図５】
0003152674.tif 000007
【図６】
0003152674.tif 000008